(57)【要約】【課題】コネクタを、要求される精度で位置決めすることが可能な電気光学装置を提供する。【解決手段】電気光学装置は、表示パネルと、フレームと、フレキシブル基板と、を備える。フレキシブル基板は、表示パネルに接続されている。また、フレキシブル基板は、表示パネルと接続されている第１の領域から、端子部が形成されている第２の領域と、端子部が形成されていない第３の領域と、が分岐するように形成されており、第２の領域及び第３の領域が、フレームの表示パネルが設置されている面とは反対の面側に折り返されて固定されている。本発明の電気光学装置では、コネクタが実装されていない第２の領域の位置に影響を及ぼすことなく、コネクタの位置を調整することが可能となる。【選択図】図４
2008281731.tif 000002
【特許請求の範囲】
【請求項１】
表示パネルと、
前記表示パネルが設置されているフレームと、
前記表示パネルに接続されているフレキシブル基板と、を備え、
前記フレキシブル基板は、前記表示パネルと接続されている第１の領域から、端子部が
形成されている第２の領域と、前記端子部が形成されていない第３の領域と、が分離する
ように分岐して形成されており、前記第２の領域及び前記第３の領域が、前記フレームの
前記表示パネルが設置されている面とは反対の面側に折り返されて固定されていることを
特徴とする電気光学装置。
【請求項２】
表示パネルと、
前記表示パネルが設置されているフレームと、
前記表示パネルに接続されているフレキシブル基板と、を備え、
前記フレキシブル基板は、前記表示パネルと接続されている第１の領域と、端子部が形
成されている第２の領域と、前記端子部が形成されていない第３の領域と、を有し、
前記フレキシブル基板は、前記第１の領域から導出して、前記第２の領域及び第３の領
域が前記フレームの前記表示パネルが配置されている面とは反対の面側に折り返されて固
定されるとともに、前記第２の領域と前記第３の領域との間は、切り込みによって分離さ
れていることを特徴とする電気光学装置。
【請求項３】
前記フレキシブル基板の前記第３の領域には、光源が実装され、
前記フレームには、前記光源と、前記光源から出射された光を前記表示パネルへ向けて
出射させる導光板と、が収納されていることを特徴とする請求項１又は２に記載の電気光
学装置。
【請求項４】
前記フレキシブル基板の第２の領域及び第３の領域は前記フレームの前記液晶パネルが
配置されている面とは反対側の面に互いに隣接して固定されていることを特徴とする請求
項１乃至３のいずれか一項に記載の電気光学装置。
【請求項５】
前記フレキシブル基板は、前記接続された第１の領域から前記折り返される領域までの
間で第２の領域及び第３の領域に分離していることを特徴とする請求項１乃至４のいずれ
か一項に記載の電気光学装置。
【請求項６】
請求項１乃至５のいずれか一項に記載の電気光学装置を表示部に備えることを特徴とす
る電子機器。
【請求項７】
表示パネルと、
前記表示パネルが設置されているフレームと、
前記表示パネルに接続されると共に、前記表示パネルと接続されている第１の領域から
、接続部が形成されている第２の領域と、前記端子部が形成されていない第３の領域と、
が分岐するように形成されているフレキシブル基板と、を有する電気光学装置の製造方法
であって、
前記第２の領域を、前記フレームの前記表示パネルが設置されている面とは反対側の面
側に折り返して前記端子部の位置を調整して前記フレームに取り付ける工程と、
前記第３の領域を、前記フレームの前記表示パネルが設置されている面とは反対側の面
側に折り返して前記フレームに取り付ける工程と、を備えることを特徴とする電気光学装
置の製造方法。
【請求項８】
前記第３の領域には光源が実装され、前記第３の領域を前記フレームに取り付ける工程
では、前記光源の位置を調整して取りつけることを特徴とする請求項７に記載の電気光学
装置の製造方法。
【発明の詳細な説明】
【技術分野】
【０００１】
本発明は、各種情報の表示に用いて好適な電気光学装置に関する。
【背景技術】
【０００２】
電気光学装置の一種である液晶装置は、液晶パネルと、当該液晶パネルの背面側に設け
られた照明装置と、を備える。照明装置は、ＬＥＤ（Ｌｉｇｈｔ  Ｅｍｉｔｔｉｎｇ  Ｄ
ｉｏｄｅ）などの光源と、光源から出射された光を平面状の光として液晶パネルの背面に
照射する導光板と、を備える。これらの液晶パネル及び照明装置と、外部の電子機器との
間を電気的に接続するインターフェース基板としては、フレキシブル基板（ＦＰＣ：Ｆｌ
ｅｘｉｂｌｅ  Ｐｒｉｎｔｅｄ  Ｃｉｒｃｕｉｔ）が用いられる。液晶パネル及び照明装
置は、このフレキシブル基板を介して画像表示のための制御信号を受け取る。なお、以下
の特許文献１には、ＬＥＤをフレキシブル基板に実装した液晶装置が記載されている。
【０００３】
【特許文献１】特開２０００−９８４１５号公報
【発明の開示】
【発明が解決しようとする課題】
【０００４】
ところで、フレキシブル基板には、外部の電子機器と接続するためのコネクタが液晶装
置から張り出すようにして設けられることがある。
【０００５】
コネクタと外部の電子機器とが接続される際には、コネクタが、要求される精度で位置
決めされる必要がある。しかしながら、特許文献１に記載された液晶装置では、コネクタ
の位置を調整しようとすると、同一のフレキシブル基板上に実装されているＬＥＤの位置
も動いてしまうため、ＬＥＤの位置に影響を及ぼさずに、コネクタを要求される精度で位
置決めすることは困難であった。
【０００６】
本発明は以上の点に鑑みてなされたものであり、コネクタを、要求される精度で位置決
めすることが可能な電気光学装置を提供することを課題とする。
【課題を解決するための手段】
【０００７】
本発明の１つの観点では、電気光学装置は、表示パネルと、前記表示パネルが設置され
ているフレームと、前記表示パネルに接続されているフレキシブル基板と、を備え、前記
フレキシブル基板は、前記表示パネルと接続されている第１の領域から、端子部が形成さ
れている第２の領域と、前記端子部が形成されていない第３の領域と、が分離するように
分岐して形成されており、前記第２の領域及び前記第３の領域が、前記フレームの前記表
示パネルが設置されている面とは反対の面側に折り返されて固定されている。
【０００８】
上記の電気光学装置は、表示パネルと、フレームと、フレキシブル基板と、を備える。
前記フレームには、前記表示パネルが設置されている。前記フレキシブル基板は、前記表
示パネルに接続されている。また、前記フレキシブル基板は、前記表示パネルと接続され
ている第１の領域から、端子部が形成されている第２の領域と、前記端子部が形成されて
いない第３の領域と、が分離するように分岐して形成されており、前記第２の領域及び前
記第３の領域が、前記フレームの前記表示パネルが設置されている面とは反対の面側に折
り返されて固定されている。前記端子部は、例えば、外部の電子機器と接続されるコネク
タである。本発明の電気光学装置では、前記端子部が形成されていない前記第２の領域の
位置に影響を及ぼすことなく、前記端子部の位置を調整することが可能となるため、前記
端子部を、要求される精度で位置決めすることが可能となる。
【０００９】
本発明の好適な実施例は、表示パネルと、前記表示パネルが設置されているフレームと
、前記表示パネルに接続されているフレキシブル基板と、を備え、前記フレキシブル基板
は、前記表示パネルと接続されている第１の領域と、端子部が形成されている第２の領域
と、前記端子部が形成されていない第３の領域と、を有し、前記フレキシブル基板は、前
記第１の領域から導出して、前記第２の領域及び第３の領域が前記フレームの前記表示パ
ネルが配置されている面とは反対の面側に折り返されて固定されるとともに、前記第２の
領域と前記第３の領域との間は、切り込みによって分離されている。
【００１０】
上記の電気光学装置の他の一態様は、前記フレキシブル基板の前記第３の領域には、光
源が実装され、前記フレームには、前記光源と、前記光源から出射された光を前記表示パ
ネルへ向けて出射させる導光板と、が収納されている。上記の電気光学装置は、具体的に
は、液晶装置であり、光源として、例えば、ＬＥＤ（Ｌｉｇｈｔ  Ｅｍｉｔｔｉｎｇ  Ｄ
ｉｏｄｅ）が用いられる。このようにすることで、前記光源の位置に影響を及ぼすことな
く、コネクタの位置を調整することが可能となる。
【００１１】
上記の電気光学装置の好適な実施例は、前記フレキシブル基板の第２の領域及び第３の
領域は前記フレームの前記液晶パネルが配置されている面とは反対側の面に互いに隣接し
て固定されている。
【００１２】
上記の電気光学装置の他の一態様は、前記フレキシブル基板は、前記接続された第１の
領域から前記折り返される領域までの間で第２の領域及び第３の領域に分離している。こ
れにより、前記フレキシブル基板を折り曲げやすくなると共に、前記フレキシブル基板の
折り曲げ後の応力を少なくすることができる。
【００１３】
本発明の他の観点では、上記の液晶装置を表示部として備える電子機器を構成すること
ができる。
【００１４】
本発明の更なる他の観点では、表示パネルと、前記表示パネルが設置されているフレー
ムと、前記表示パネルに接続されると共に、前記表示パネルと接続されている第１の領域
から、端子部が形成されている第２の領域と、前記端子部が形成されていない第３の領域
と、が分岐するように形成されているフレキシブル基板と、を有する電気光学装置の製造
方法は、前記第２の領域を、前記フレームの前記表示パネルが設置されている面とは反対
の面側に折り返して前記端子部の位置を調整して前記フレームに取り付ける工程と、前記
第３の領域を、前記フレームの前記表示パネルが設置されている面とは反対側の面に折り
返して前記フレームに取り付ける工程と、を備える。この液晶装置の製造方法によっても
、前記端子部が形成されていない前記第３の領域の位置に影響を及ぼさずに、前記端子部
の位置を調整することができる。
【００１５】
上記の電気光学装置の製造方法の好適な実施例は、前記第３の領域には光源が実装され
、前記第３の領域を前記フレームに取り付ける工程では、前記光源の位置を調整して取り
つける。
【発明を実施するための最良の形態】
【００１６】
以下、図面を参照して本発明の好適な実施形態について説明する。尚、以下の実施形態
は、本発明の照明装置を液晶装置に適用したものである。
【００１７】
[液晶装置の構成]
図１は、本実施形態に係る液晶装置１００の斜視図を示している。図２は、本実施形態
に係る液晶装置１００の断面図を示している。図２は、図１の液晶装置１００の破線Ａ−
Ａ´における断面図を示している。
【００１８】
液晶装置１００は、主に、照明装置９と液晶パネル２０より構成される。液晶パネル２
０は、ガラスなどの基板２１及び２２を、シール材を介して貼り合わせてセル構造を形成
し、その内部に液晶を封入して構成される。ここで、図２に示すように、基板２１は、基
板２２に対して張り出しており、その張り出した部分には、ＣＯＧ（Ｃｈｉｐ  Ｏｎ  Ｇ
ｌａｓｓ）技術により、液晶を駆動するためのドライバＩＣ２３が直接配置されている。
図１の斜線でハッチングされた領域は、液晶パネル２０の表示領域を示している。この領
域には、例えば偏光板が配置される。
【００１９】
照明装置９は、主に、光源部１１と、導光板４０と、フレーム３０と、フレキシブル基
板１０より構成される。図２に示すように、導光板４０は、フレーム３０に収納される。
液晶パネル２０は、導光板４０の上面、即ち出射面４０ａ側に対向して配置される。光源
部１１は、フレーム３０の端部に収納され、その際、導光板４０の端面４０ｃに対向して
配置される。光源部１１は、点光源である複数のＬＥＤ１１ａを備える。各ＬＥＤ１１ａ
から出射された光Ｌは、導光板４０の端面４０ｃより導光板４０内へ入る。導光板４０に
おいて、光Ｌは、導光板１１の出射面４０ａと反射面４０ｂとの間で反射を繰り返すこと
により方向を変え、液晶パネル２０へ向けて出射面４０ａより出射する。
【００２０】
図３は、フレキシブル基板１０の斜視図を示している。フレキシブル基板１０は、ＦＰ
Ｃ（Ｆｌｅｘｉｂｌｅ  Ｐｒｉｎｔｅｄ  Ｃｉｒｃｕｉｔ）とも呼ばれ、例えば、コネク
タ１４や光源部１１を実装している。フレキシブル基板１０は、主に、液晶パネル２０に
接続されている領域１０ａと、コネクタ１４が実装されている領域１０ｃと、コネクタ１
４が実装されておらずに、光源部１１が実装されている領域１０ｂと、より構成されてい
る。図３より分かるように、フレキシブル基板１０は、領域１０ａから、領域１０ｂと領
域１０ｃとが分離するように分岐して形成されている。言い換えると、領域１０ｂと領域
１０ｃは、領域１０ａから導出しており、領域１０ｂと領域１０ｃとの間は、切り込みに
よって分離されている。従って、領域１０ａが本発明における第１の領域となり、領域１
０ｃが本発明における第２の領域となり、領域１０ｂが本発明における第３の領域となる
。ここで、本実施形態に係る液晶装置１００では、領域１０ｂと領域１０ｃとの間の切り
込み１５は、スリット状に形成されており、領域１０ｂ及び領域１０ｃと、領域１０ａと
、の間には、切り込み１５と繋がった開口部１６が形成されている。
【００２１】
図２に示したように、フレキシブル基板１０は、フレーム３０の一端を、領域１０ａと
領域１０ｂ、１０ｃとで挟むようにして、フレーム３０に取り付けられる。このとき、領
域１０の端子１３は、液晶パネル２０と接続され、領域１０ｂ、１０ｃは、フレーム３０
の一端で折り返されて、フレーム３０の液晶パネル２０が設置されている面とは反対側の
面、即ち、フレーム３０の底部に固定される。
【００２２】
図４は、液晶装置１００の展開図である。具体的には、図４は、液晶パネル２０をフレ
ーム３０から取り外し、フレキシブル基板１０を、液晶パネル２０及びフレーム３０に取
り付けたまま、液晶装置１００を展開した図である。
【００２３】
図２にも示されているが、領域１０ａの端子１３は、液晶パネル２０の端部に設けられ
た端子２４と、ＯＬＢ（Ｏｕｔｅｒ  Ｌｅａｄ  Ｂｏｎｄｉｎｇ）圧着されることで電気
的に接続されている。ドライバＩＣ２３の一部の端子は液晶パネル２０上に形成された配
線を通じて、液晶パネル２０の端部に設けられた端子２４に電気的に接続され、当該端子
２４を介して、領域１０ａの端子１３に電気的に接続されている。
【００２４】
外部の電子機器は、コネクタ１４に電気的に接続される。コネクタ１４を介して、外部
の電子機器から、液晶パネル２０の制御信号ＳｉｇＰ及びＬＥＤ１１ａの制御信号Ｓｉｇ
Ｌが、フレキシブル基板１０に供給される。ドライバＩＣ２３は、フレキシブル基板１０
を介して供給された外部の電子機器からの制御信号ＳｉｇＰを基に、液晶パネル２０の駆
動回路を駆動する。これにより、液晶パネル２０の液晶の配向状態は制御される。また、
光源部１１は、詳しくは、光源部１１のＬＥＤ１１ａは、フレキシブル基板１０を介して
供給された外部の電子機器からの制御信号ＳｉｇＬにより制御される。ここで、フレキシ
ブル基板１０は、先にも述べたように、領域１０ａから、領域１０ｂと領域１０ｃとが分
岐するように形成されている。そのため、コネクタ１４に供給された制御信号ＳｉｇＰは
、領域１０ｃから、領域１０ａに入り、領域１０ａの端子１３に至るように、また、コネ
クタ１４に供給された制御信号ＳｉｇＬは、領域１０ｃから、領域１０ａを経由して、領
域１０ｂに入り、領域１０ｂの光源部１１に至るように、フレキシブル基板１０上の回路
は形成されている。
【００２５】
［コネクタの位置］
次に、コネクタ１４の位置について説明する。図５は、フレキシブル基板１０が取り付
けられているフレーム３０の底面の平面図である。図５では、紙面上方向をｙ方向とし、
紙面右方向をｘ方向とする。
【００２６】
コネクタ１４は、フレーム３０から張り出すようにしてフレキシブル基板１０に実装さ
れている。コネクタ１４は、外部の電子機器と接続されるため、要求される精度で位置決
めされる必要がある。そのため、フレキシブル基板１０がフレーム３０に取り付けられる
際には、コネクタ１４の位置を調整する必要がある。
【００２７】
しかしながら、一般的な液晶装置１００におけるフレキシブル基板では、コネクタが実
装されている領域と光源部が実装されている領域とが繋がっているため、コネクタ１４の
位置を調整しようとすると、それに伴って、光源部の位置も動いてしまい、コネクタ１４
の位置を精度良く調整することは困難であった。
【００２８】
そこで、本実施形態に係る液晶装置１００では、フレキシブル基板１０は、先にも述べ
た様に、領域１０ａから、領域１０ｂと領域１０ｃとが分離するように分岐して形成され
ている。言い換えると、領域１０ｂと領域１０ｃとの間には切り込みによって分離されて
いる。具体的には、図５に示すように、フレーム３０の底面上では、領域１０ｂと領域１
０ｃとの間に、切り込み１５が設けられている。これにより、領域１０ｂの位置、即ち、
光源部１１の位置に影響を及ぼすことなく、コネクタ１４の位置を調整することが可能と
なる。例えば、コネクタ１４をｘ方向に調整する場合には、スリット状に形成された切り
込み１５のｘ方向の幅の大きさＳｘ分、コネクタ１４を動かすことができ、コネクタ１４
をｙ方向に調整する場合には、切り込み１５のｙ方向の幅の大きさＳｙ分、コネクタ１４
を動かすことができる。また、領域１０ｂと領域１０ｃとの間に切り込みが設けられてい
ることにより、−ｘ方向、−ｙ方向にも、光源部１１の位置に影響を及ぼすことなく、コ
ネクタ１４を調整することができる。これにより、本実施形態に係る液晶装置１００では
、コネクタ１４を、要求される精度で位置決めすることが可能となる。
【００２９】
本実施形態に係る液晶装置１００では、領域１０ｂと領域１０ｃは、フレーム３０の端
面で折り返される。具体的には、領域１０ｂと領域１０ｃは、先に述べた開口部１６が、
フレーム３０の端面に位置するように折り返される、即ち、フレキシブル基板１０は、フ
レーム３０の端面に対応する位置では、既に分岐して形成されている。このようにするこ
とで、フレキシブル基板１０を折り曲げやすくなると共に、フレキシブル基板１０の折り
曲げ後の応力を少なくすることができる。
【００３０】
本実施形態に係る液晶装置１００では、切り込み１５は、領域１０ｂがｙ方向に向かう
に従って幅広くなるように、スリット状に形成されている。しかし、切り込み１５の形状
としては、スリット形状に限られるものではなく、領域１０ｂと領域１０ｃとが完全に分
離してさえいれば、他の種々の形状に形成されていても、上述の効果を奏する、即ち、光
源部１１の位置に影響を及ぼすことなく、コネクタ１４の位置を調整することが可能とな
る。
【００３１】
本実施形態に係る液晶装置１００では、切り込み１５を、領域１０ｂがｙ方向、即ち、
光源部１１の光の出射方向に向かうに従って幅広くなるように、スリット状に形成するこ
とで、図５に示すように、光源部１１を領域１０ｂの幅広になっている位置に設置するこ
とができ、光源部１１の領域１０ｂにおける設置位置をｘ方向に対して広範囲にとること
ができる。このようにすることで、本実施形態に係る液晶装置１００では、導光板４０よ
り出射される光の輝度の均一性を保つことができる。
【００３２】
［液晶装置の製造方法］
次に、本実施形態に係る液晶装置１００の製造方法について述べる。図６は、本実施形
態に係る液晶装置１００の製造方法を示すフローチャートである。図７〜図９は、本実施
形態に係る液晶装置１００の製造工程を示す模式図である。
【００３３】
工程Ｐ１１において、図７（ａ）に示すように、フレキシブル基板の端子１３が液晶パ
ネル２０の端部に設けられた端子２４にＯＬＢ圧着される。これにより、フレキシブル基
板１０と液晶パネル２０とが電気的に接続される。その後、工程Ｐ１２において、図７（
ｂ）に示すように、フレキシブル基板１０に接続された液晶パネル２０が、導光板４０が
予め収納されたフレーム３０の上面に設置される。
【００３４】
次に、工程Ｐ１３において、フレキシブル基板１０の領域１０ｃは、フレーム３０の一
端を挟むようにして折り返されて、図８（ａ）に示すように、フレーム３０の液晶パネル
２０が設置されている面とは反対側の面、即ち、フレーム３０の底面に取り付けられる。
領域１０ｃがフレーム３０に取り付けられる際、コネクタ１４の位置は、要求される位置
精度となるように調整される。
【００３５】
そして、工程Ｐ１４において、フレキシブル基板１０の領域１０ｂは、フレーム３０の
一端を挟むようにして折り返されて、図８（ｂ）に示すように、フレーム３０の底面に取
り付けられる。ここで、フレーム１０の底面には、光源部１１を収納するための開口部３
０ａが設けられており、フレキシブル基板１０の領域１０ｂが、フレーム３０の底面に取
り付けられる際には、光源部１１は、開口部３０ａに収納される。このとき、フレキシブ
ル基板１０の領域１０ｂの位置は、光源部１１より出射する光の方向が導光板４０の光軸
と一致するように調整される。このようにして、図９に示すように、フレキシブル基板１
０の領域１０ｂ、１０ｃは、フレーム３０の底面に取り付けられ、液晶装置１００は完成
する。
【００３６】
以上に述べたように、本実施形態に係る液晶装置１００の製造方法では、コネクタ１４
が実装されているフレキシブル基板１０の領域１０ｃを、フレーム３０の底面に折り返し
てコネクタ１４の位置を調整してフレーム３０に取り付ける工程と、コネクタ１４が実装
されておらず、光源部１１が実装されているフレキシブル基板１０の領域１０ｂを、フレ
ーム３０の底面に折り返してフレーム３０に取り付ける工程と、を備える。
【００３７】
この液晶装置１００の製造方法によれば、コネクタ１４が実装されていない領域１０ｂ
の位置に影響を及ぼすことなく、コネクタ１４が実装されているフレキシブル基板１０の
領域の位置を調整することができる。上述の例では、コネクタ１４が実装されていない領
域１０ｂに光源部１１が実装されているので、液晶装置１００の製造方法により、光源部
１１の位置に影響を及ぼすことなく、コネクタ１４の位置を調整することができ、コネク
タ１４を、要求される精度で位置決めすることが可能となる。つまり、本実施形態に係る
液晶装置１００の製造方法では、光源部１１の位置とコネクタ１４の位置の両方を、互い
の位置に影響を及ぼすことなく、調整することが可能となる。
【００３８】
［変形例］
次に、上述の実施形態に係るフレキシブル基板１０の変形例について説明する。図１０
は、変形例に係るフレキシブル基板１０ａの斜視図である。上述の実施形態に係るフレキ
シブル基板１０は、開口部１６が設けられるとしているが、変形例に係るフレキシブル基
板１０では、切り込み１５と繋がっている開口部１６が設けられる代わりに、切り込み１
５が領域１０ａに達するまで設けられている。このフレキシブル基板１０ａにおいても、
領域１０ｂ、１０ｃが、フレーム３０の液晶パネル２０が設置されている面とは反対側の
面、即ち、フレーム３０の底部に、互いに隣接して固定されることにより、光源部１１の
位置とコネクタ１４の位置の両方を、互いの位置に影響を及ぼすことなく、調整して配置
ことが可能となる。
【００３９】
また、上述の実施形態では、液晶装置を例にして述べたが、本発明を適用可能な表示装
置としては、液晶装置に限られず、代わりに、プラズマディスプレイなどの他の表示装置
にも適用可能である。また、上述の実施形態では、コネクタ１４が実装されていない領域
１０ｂには、光源部１１が実装されるとしているが、これに限られるものではなく、代わ
りに、他の電子部品が実装されるとしてもよいし、さらには、何も実装しないとしてもよ
い。要は、上述の実施形態で述べたような、フレキシブル基板をフレームの一端で折り返
す構造を有する表示装置であれば、本発明を適用することが可能である。
【００４０】
[電子機器]
次に、本発明に係る液晶装置１００を適用可能な電子機器の具体例について図１１を参
照して説明する。
【００４１】
まず、本発明に係る液晶装置１００を、可搬型のパーソナルコンピュータ（いわゆるノ
ート型パソコン）の表示部に適用した例について説明する。図１１（ａ）は、このパーソ
ナルコンピュータの構成を示す斜視図である。同図に示すように、パーソナルコンピュー
タ７１０は、キーボード７１１を備えた本体部７１２と、本発明に係る液晶装置１００を
適用した表示部７１３とを備えている。
【００４２】
続いて、本発明に係る液晶装置１００を、携帯電話機の表示部に適用した例について説
明する。図１１（ｂ）は、この携帯電話機の構成を示す斜視図である。同図に示すように
、携帯電話機７２０は、複数の操作ボタン７２１のほか、受話口７２２、送話口７２３と
ともに、本発明に係る液晶装置１００を適用した表示部７２４を備える。
【００４３】
なお、本発明に係る液晶装置１００を適用可能な電子機器としては、図１１（ａ）に示
したパーソナルコンピュータや図１１（ｂ）に示した携帯電話機の他にも、液晶テレビ、
ビューファインダ型・モニタ直視型のビデオテープレコーダ、カーナビゲーション装置、
ページャ、電子手帳、電卓、ワードプロセッサ、ワークステーション、テレビ電話、ＰＯ
Ｓ端末、ディジタルスチルカメラなどが挙げられる。
【図面の簡単な説明】
【００４４】
【図１】本実施形態に係る液晶装置の斜視図である。
【図２】本実施形態に係る液晶装置の断面図である。
【図３】フレキシブル基板の斜視図である。
【図４】本実施形態に係る液晶装置の展開図を示す。
【図５】フレキシブル基板が取り付けられているフレームの底面の平面図である。
【図６】本実施形態に係る液晶装置の製造方法を示すフローチャートである。
【図７】本実施形態に係る液晶装置の製造工程を示す模式図である。
【図８】本実施形態に係る液晶装置の製造工程を示す模式図である。
【図９】本実施形態に係る液晶装置の製造工程を示す模式図である。
【図１０】変形例に係るフレキシブル基板の斜視図である。
【図１１】本発明の照明装置を適用した電子機器を示す概略図である。
【符号の説明】
【００４５】
９  照明装置、  １０  フレキシブル基板、  １１  光源部、  ２０  液晶パネル、  
３０  フレーム、  ４０  導光板、
【図１】
2008281731.tif 000003
【図２】
2008281731.tif 000004
【図３】
2008281731.tif 000005
【図４】
2008281731.tif 000006
【図５】
2008281731.tif 000007
【図６】
2008281731.tif 000008
【図７】
2008281731.tif 000009
【図８】
2008281731.tif 000010
【図９】
2008281731.tif 000011
【図１０】
2008281731.tif 000012
【図１１】
2008281731.tif 000013